(57)【特許請求の範囲】
【請求項１】
バッテリーポストが一段低いところに設けられているバッテリーに取り付けられて使用されるヒューズユニットにおいて、
前記バッテリーポストに接続されるバッテリー接続部と、
前記バッテリー接続部が前記バッテリーポストに接続されたときに、前記バッテリーの上面よりも上側に位置しているとともに平面視で前記バッテリーの内側に位置し、電気機器が接続される外部接続端子と、
前記バッテリー接続部と前記外部接続端子とを接続し、前記バッテリー接続部が前記バッテリーポストに接続されたときに、前記バッテリーの上面よりも上側に位置するとともに平面視で前記バッテリーの内側に位置するヒューズ部と、
を有し、前記ヒューズユニットはバッテリー端子を介して前記バッテリーに取り付けられるように構成されており、前記バッテリー端子は、この長手方向の一端部に締め付け部を備えており中間部に前記バッテリーポストに接合されるバッテリーポスト接合部を備えており、前記締め付け部が操作されることで、前記バッテリー端子が前記バッテリーポストに設置されるように構成されており、前記バッテリー端子を介して前記ヒューズユニットが前記バッテリーに取り付けられた状態を平面視すると、矩形状の前記バッテリーの１つの側面から前記締め付け部までの距離が、前記１つの側面から前記バッテリーポストまでの距離よりも小さくなるように、前記バッテリー端子の長手方向が前記バッテリーの側面に対して斜めになっていることを特徴とするヒューズユニット。
【請求項２】
請求項１に記載のヒューズユニットにおいて、
前記バッテリー端子は締め付け部を備えており、
前記締め付け部は、前記バッテリー端子を前記バッテリーに設置するときに使用され、また、前記締め付け部は、ネジによって構成されており、前記ネジを締めることで、前記バッテリー端子が前記バッテリーポストに一体的に設置されるように構成されており、
前記締め付け部を構成しているネジの軸は、前記バッテリーの上面に対して斜めに延伸していることを特徴とするヒューズユニット。
【請求項３】
請求項１または請求項２に記載のヒューズユニットにおいて、
前記ヒューズ部と前記外部接続端子とは複数設けられており、
前記各ヒューズ部と前記各外部接続端子とは、所定方向にならんで配置されており、
前記各外部接続端子に接続される配線の延伸方向はお互いがほぼ平行になることを特徴とするヒューズユニット。
【請求項４】
請求項３に記載のヒューズユニットにおいて、
前記ヒューズユニットが前記バッテリーに取り付けられた状態では、前記各ヒューズ部が前記バッテリーの側面に沿ってならんでおり、前記配線の延伸方向が、前記側面と直交することを特徴とするヒューズユニット。
【発明の詳細な説明】
【技術分野】
【０００１】
本発明は、ヒューズユニットに係り、特に、自動車等のバッテリーに設置されて使用されるものに関する。
【背景技術】
【０００２】
従来、図１５〜図１８で示すように、バッテリー接続部２０２と第１の外部接続端子２０４と第２の外部接続端子２０６とヒューズ部２０８（図１９図、２０参照）とを備え、バッテリー端子２１２とバッテリー接続部２０２とを介してバッテリー２１０（バッテリーポスト２１８）に設置されて使用されるヒューズユニット２００が知られている。なお、図１５〜図１８ではヒューズ部２０８はエレメントカバー２２０で覆われている。
【０００３】
ヒューズユニット２００は、図１９、図２０で示すバスバー２１４に樹脂ボディ２１６をインサート成形で一体的に設けて構成されている。図１９、図２０で示すバスバー２１４の貫通孔２２２は、バッテリー接続部２０２を構成するものであり、貫通孔２２４は、第１の外部接続端子２０４を構成するものであり、貫通孔２２６は、第２の外部接続端子２０６を構成するものである。
【０００４】
貫通孔２２４にスタッドボルト２２８が挿入され、この挿入されたスタッドボルト２２８が樹脂ボディ２１６によってバスバー２１４に一体的に設置されることで、第１の外部接続端子２０４が形成されている。同様にして、貫通孔２２６にスタッドボルト２３０が挿入され、この挿入されたスタッドボルト２３０が樹脂ボディ２１６によってバスバー２１４に一体的に設置されることで、第２の外部接続端子２０６が形成されている。
【０００５】
なお、図１９、図２０から理解できるように、バッテリー接続部２０２と第１の外部接続端子２０４とはヒューズ部２０８を介してつながっているが、バッテリー接続部２０２と第２の外部接続端子２０６とはヒューズ部２０８を介することなく直接つながっている。
【０００６】
ヒューズユニット２００のバッテリー２１０への設置は、バッテリーポスト２１８に設置されたバッテリー端子２１２のスタッドボルト２３２が、バッテリー接続部２０２の貫通孔２２２を貫通するように、ヒューズユニット２００をバッテリー端子２１２に係合し、この係合後に、スタッドボルト２３２にナット２３４を螺合させ、ナット２３２を締め付けることでなされる。
【０００７】
直方体状のバッテリー２１０の上面２４０の角部には、直方体状の凹部２３６が形成されており、バッテリーポスト２１８は、凹部２３６の底面２３８から起立している。
【０００８】
ヒューズユニット２００がバッテリー端子２１２を介してバッテリー２１０に設置された状態では、図１７や図１８で示すように、高さ方向で、ヒューズ部２０８とエレメントカバー２２０と第２の外部接続端子２０６とが、凹部２３６の底面２３８とバッテリー２１０の上面２４０との間に位置し、第１の外部接続端子２０４がバッテリー２１０の上面２４０の上方に位置している。
【０００９】
ヒューズユニット２００がバッテリー端子２１２を介してバッテリー２１０に設置されたヒューズユニット２００の各外部接続端子２０４，２０６には、電線（図示せず）が接続され、この接続された電線がほぼ水平方向に延出するようになっている。
【００１０】
第１の外部接続端子２０４がバッテリー２１０の上面２４０の上方に位置していることで、ＤＩＮバッテリー２１０の小さいスペースにヒューズユニット２００を設置することができるようになっている。すなわち、たとえば、第１の外部接続端子２０４をバッテリー２１０の上面２４０の上方に位置させることで、第１の外部接続端子２０４からの電線の引き出し（延出）が容易になっている。
【００１１】
なお、上記従来の技術に関連する文献としてたとえば、特許文献１を掲げることができる。
【先行技術文献】
【特許文献】
【００１２】
【特許文献１】特開２００５−２２２７０８号公報
【発明の概要】
【発明が解決しようとする課題】
【００１３】
ところで、従来のヒューズユニット２００では、図１７や図１８で示すように、ヒューズユニット２００をバッテリー２１０に設置した場合、ヒューズ部２０８がバッテリー２１０の凹部２３６内に位置しており、このヒューズ部２０８のためのスペースが凹部２３６で必要になっている。そして、凹部２３６のスペースが不足し、ヒューズユニット２００をバッテリー２１０に設置したとき、ヒューズユニット２００（たとえば、第２の外部接続端子２０６）が、バッテリー２１０の側面から突出してしまうという問題がある（図１８の参照符号Ｐ１参照）。
【００１４】
本発明は、上記問題点に鑑みてなされたものであり、バッテリーポストが一段低いところに設けられているバッテリーに取り付けられて使用されるヒューズユニットにおいて、バッテリーに設置されたときにバッテリーの側面からの突出量を極力少なくすることができるヒューズユニットを提供することを目的とする。
【課題を解決するための手段】
【００１５】
請求項１に記載の発明は、バッテリーポストが一段低いところに設けられているバッテリーに取り付けられて使用されるヒューズユニットにおいて、前記バッテリーポストに接続されるバッテリー接続部と、前記バッテリー接続部が前記バッテリーポストに接続されたときに、前記バッテリーの上面よりも上側に位置しているとともに平面視で前記バッテリーの内側に位置し、電気機器が接続される外部接続端子と、前記バッテリー接続部と前記外部接続端子とを接続し、前記バッテリー接続部が前記バッテリーポストに接続されたときに、前記バッテリーの上面よりも上側に位置するとともに平面視で前記バッテリーの内側に位置するヒューズ部とを有し、前記ヒューズユニットはバッテリー端子を介して前記バッテリーに取り付けられるように構成されており、前記バッテリー端子は、この長手方向の一端部に締め付け部を備えており中間部に前記バッテリーポストに接合されるバッテリーポスト接合部を備えており、前記締め付け部が操作されることで、前記バッテリー端子が前記バッテリーポストに設置されるように構成されており、前記バッテリー端子を介して前記ヒューズユニットが前記バッテリーに取り付けられた状態を平面視すると、矩形状の前記バッテリーの１つの側面から前記締め付け部までの距離が、前記１つの側面から前記バッテリーポストまでの距離よりも小さくなるように、前記バッテリー端子の長手方向が前記バッテリーの側面に対して斜めになっているヒューズユニットである。
【００１６】
請求項２に記載の発明は、請求項１に記載のヒューズユニットにおいて、前記バッテリー端子は締め付け部を備えており、前記締め付け部は、前記バッテリー端子を前記バッテリーに設置するときに使用され、また、前記締め付け部は、ネジによって構成されており、前記ネジを締めることで、前記バッテリー端子が前記バッテリーポストに一体的に設置されるように構成されており、前記締め付け部を構成しているネジの軸は、前記バッテリーの上面に対して斜めに延伸しているヒューズユニットである。
【００１７】
請求項３に記載の発明は、請求項１または請求項２に記載のヒューズユニットにおいて、前記ヒューズ部と前記外部接続端子とは複数設けられており、前記各ヒューズ部と前記各外部接続端子とは、所定方向にならんで配置されており、前記各外部接続端子に接続される配線の延伸方向はお互いがほぼ平行になるヒューズユニットである。
【００１８】
請求項４に記載の発明は、請求項３に記載のヒューズユニットにおいて、前記ヒューズユニットが前記バッテリーに取り付けられた状態では、前記各ヒューズ部が前記バッテリーの側面に沿ってならんでおり、前記配線の延伸方向が、前記側面と直交するヒューズユニットである。
【発明の効果】
【００１９】
本発明によれば、バッテリーポストが一段低いところに設けられているバッテリーに取り付けられて使用されるヒューズユニットにおいて、バッテリーに設置されたときにバッテリーの側面からの突出量を極力少なくすることができるという効果を奏する。
【図面の簡単な説明】
【００２０】
【図１】本発明の実施形態に係るヒューズユニットの概略構成を示す平面図である。
【図２】図１におけるＩＩ矢視図である。
【図３】図１におけるＩＩＩ矢視図である。
【図４】図１におけるＩＶ矢視図である。
【図５】本発明の実施形態に係るヒューズユニットのバスバーの斜視図である。
【図６】三角法によるバスバーの三面図であって、（ａ）は平面図、（ｂ）は側面図、（ｃ）は正面図である。
【図７】本発明の実施形態に係るヒューズユニットをバッテリーに設置した状態を示す斜視図である。
【図８】本発明の実施形態に係るヒューズユニットをバッテリーに設置した状態を示す四面図であって、（ａ）は平面図、（ｂ）は正面図、（ｃ）、（ｄ）は側面図である。
【図９】図７におけるＩＸ部の拡大図である。
【図１０】図９で示すヒューズユニット等を別の角度から見た斜視図である。
【図１１】図９で示すヒューズユニット等の平面図であり、図８におけるＸＩ部の拡大図である。
【図１２】図８のＸＩＩ部に対応した図であって、従来のヒューズユニットと本発明の実施形態に係るヒューズユニットとを比較した図であり、（ａ）は従来のヒューズユニットをバッテリーに設置した状態を示しており、（ｂ）は本発明の実施形態に係るヒューズユニットをバッテリーに設置した状態を示している。
【図１３】図８のＸＩＩＩ部に対応した図であって、従来のヒューズユニットと本発明の実施形態に係るヒューズユニットとを比較した図であり、（ａ）は従来のヒューズユニットをバッテリーに設置した状態を示しており、（ｂ）は本発明の実施形態に係るヒューズユニットをバッテリーに設置した状態を示している。
【図１４】本発明の実施形態に係るヒューズユニットの変形例を示す斜視図であって、図１０に対応した図である。
【図１５】従来のヒューズユニットの斜視図である。
【図１６】従来のヒューズユニットの平面図である。
【図１７】従来のヒューズユニットをバッテリーに設置した状態を示す斜視図である。
【図１８】図１７におけるＸＶＩＩＩ矢視図である。
【図１９】従来のヒューズユニットのバスバーを示す斜視図である。
【図２０】従来のヒューズユニットのバスバーの二面図であって、（ａ）は平面図であり、（ｂ）は正面図である。
【発明を実施するための形態】
【００２１】
本発明の実施形態に係るヒューズユニット（ヒューズ本体）１は、図７や図８等で示すように、バッテリーポスト３が一段低いところ（凹部）５に設けられているバッテリー（たとえば、従来のバッテリー２１０と同じ構成の自動車用のＤＩＮバッテリー）７に取り付けられて（設置されて）使用されるものである。
【００２２】
バッテリー７は、直方体状のバッテリー本体部９と一対のバッテリーポスト３とを備えている。矩形状のバッテリー本体部９の上側に位置している２箇所の角部のそれぞれに、凹部５が設けられている。凹部５の形状は、バッテリー本体部９も小さい直方体状に形成されている。
【００２３】
凹部５の底面１３は、バッテリー本体部９の上面１５よりも所定の距離だけ下方に位置していると共に、バッテリー本体部９の上面１５に対して平行になっている。
【００２４】
バッテリーポスト３は、円錐台状もしくは円柱状に形成されており、２つ凹部５のそれぞれの底面１３から起立して設けられている。これにより、バッテリーポスト３がバッテリー本体部９の上面１５よりも一段低いところに設けられていることになる。なお、バッテリーポスト３の高さは、凹部５の深さとほぼ等しくなっている。また、バッテリーポスト３は、バッテリー本体部９の側面１７や凹部の側面１９から所定の距離だけ離れている（図８（ａ）、図１１等参照）。
【００２５】
ヒューズユニット１は、一対のバッテリーポスト３のうちの一方のバッテリーポスト３に設置されて使用されるものであり、図１等で示すように、バッテリー接続部（バッテリー端子接続部）２１と第１の外部接続端子（第１の電線接続部）２３と、ヒューズ部（可溶部；可溶体）２５とを備えて構成されている。
【００２６】
バッテリー接続部２１は、たとえばバッテリー端子（詳細は後述するバッテリー端子）２７を介して、バッテリーポスト３に接続される部位である。第１の外部接続端子（外部端子接続部）２３は、たとえば、自動車のオルタネータ等の電気容量の大きい電気機器が接続される端子である。バッテリー接続部２１がバッテリーポスト３に接続されたときに（ヒューズユニット１がバッテリー７に取り付けられたときに）、図８や図１１（ｂ）等で示すように、バッテリー接続部２１が、バッテリー７（バッテリー本体部９）の上面１５よりも上側に位置しているとともに平面視でバッテリー７の内側に位置している。
【００２７】
ヒューズ部２５は、バッテリー接続部２１と第１の外部接続端子２３との間に設けられており、バッテリー接続部２１と第１の外部接続端子２３とをお互いに電気的におよび機械的に接続している。バッテリー接続部２１がバッテリーポスト３に接続されたときに、ヒューズ部２５は、図８や図１１（ｂ）等で示すように、バッテリー７（バッテリー本体部９）の上面１５よりも上側に位置しているとともに平面視でバッテリー７（バッテリー本体部９）の内側に位置している。
【００２８】
ヒューズユニット１をバッテリー７に取り付けた状態を平面視すると、図８や図１１（ｂ）等で示すように、バッテリー接続部２１は当然にバッテリー７（バッテリー本体部９）の内側であって凹部５の内側に位置しており、また、ヒューズユニット１の大部分はバッテリー７の内側（凹部５の内側と凹部５を除くバッテリー本体部９の上面１５の内側）に位置している。
【００２９】
さらに、ヒューズユニット１をバッテリー７に取り付けた状態を平面視すると、第１の外部接続端子２３が凹部５の内側に位置し、ヒューズ部２５が凹部５の外側に位置しているが、ヒューズ部２５が凹部５の内側に位置し第１の外部接続端子２３が凹部５の外側に位置していてもよいし、第１の外部接続端子２３とヒューズ部２５とが凹部５の内側に位置していてもよいし、第１の外部接続端子２３とヒューズ部２５とが凹部５の外側に位置していてもよい。
【００３０】
ヒューズ部２５は、バッテリー接続部２１と第１の外部接続端子２３との間に所定の値以上の電流が所定の時間流れると熱によって溶断するようになっている。
【００３１】
また、ヒューズユニット１は、図９〜図１１等で示すように、バッテリーポスト３に一体的に設置されたバッテリー端子２７を介して、バッテリー７に一体的に取り付けられるように構成されている。
【００３２】
バッテリー端子２７を介してヒューズユニット１がバッテリー７に取り付けられた状態を平面視すると、図１１等で示すように、バッテリー端子２７がバッテリー７（バッテリー本体部９）の側面１７に対して斜めになっている。これは、バッテリー端子２７のバッテリー７への設置を容易にし、バッテリー７に取り付けられたヒューズユニット１の突出量（平面視したときにおけるバッテリー本体部９の側面１７や凹部５からの突出量）を極力少なくするためである。
【００３３】
バッテリー端子２７は、図１０、図１１等で示すように、金属等の導電性素材で構成されており、ヒューズユニット接合部２９とバッテリーポスト接合部３１と締め付け部３３とを備えている。
【００３４】
ヒューズユニット接合部２９には、ヒューズユニット１のバッテリー接続部２１が接続されるようになっている。バッテリーポスト接合部３１は、バッテリー端子２７がバッテリー７に設置されるときにバッテリーポスト３に接合されるようになっている。締め付け部３３は、バッテリー端子２７をバッテリー７に設置するときに使用され、バッテリー端子２７のバッテリーポスト３への着脱をつかさどるようになっている。
【００３５】
すなわち、締め付け部３３に対して適宜な操作をすることで、バッテリー端子２７がバッテリーポスト３に一体的に設置され、締め付け部３３に対して別の適宜な操作することで、バッテリー端子２７をバッテリーポスト３から離すことができるようになっている。たとえば、締め付け部３３は、ネジによって構成されており、ネジを締めることで、バッテリー端子２７がバッテリーポスト３に一体的に設置され、ネジを緩めることで、バッテリー端子２７をバッテリーポスト３から離すことができるようになっている。
【００３６】
ヒューズユニット接合部２９とバッテリーポスト接合部３１と締め付け部３３とは、バッテリー端子２７（バッテリー端子本体部３５）の長手方向で、この順に並んでいる。すなわち、バッテリー端子本体部３５の一端部側にヒューズユニット接合部２９が位置し、バッテリー端子本体部３５の中間部にバッテリーポスト接合部３１が位置し、バッテリー端子本体部３５の他端部側に締め付け部３３が位置している。
【００３７】
そして、バッテリー端子２７をバッテリーポスト３に設置した状態では、バッテリー端子２７の長手方向が水平方向になっている。また、バッテリー端子２７をバッテリーポスト３に設置した状態を平面視すると、バッテリー端子２７の長手方向が矩形状のバッテリー本体部９の側面１７に対して斜めになっている。
【００３８】
さらに説明すると、バッテリー端子２７をバッテリーポスト３に設置した状態を平面視すると、矩形状のバッテリー７（バッテリー本体部９）の１つの角部に矩形状の凹部５が形成されており、この凹部５内（凹部５のほぼ中央部）にバッテリーポスト３が配置されている。
【００３９】
また、バッテリー端子２７をバッテリーポスト３に設置した状態を平面視すると、矩形状のバッテリー７の１つの辺（１つの側面）１７Ａから締め付け部３３までの距離が、矩形状のバッテリー７の１つの辺１７Ａからバッテリーポスト３までの距離よりも小さくなっている。換言すれば、矩形状のバッテリー７の１つの角部から延びている２つの辺（２つの側面）１７Ａ，１７Ｂのうちの一方の辺１７Ａに近くに締め付け部３３が存在している。なお、矩形状のバッテリー７の１つの角部から延びている２つの辺（２つの側面）１７Ａ，１７Ｂのうちの他方の辺１７Ｂから締め付け部３３までの距離は、他方の辺１７Ｂからバッテリーポスト３までの距離よりも大きくなっている。
【００４０】
締め付け部３３を構成しているネジの軸Ｃ１は、バッテリー７の上面１５（凹部５の底面１３）に対して斜めに延伸しており、締め付け部３３を操作するときに工具が係合する操作部（たとえば、締め付け部を構成しているナット）３７は、操作部以外の締め付け部３３の部位よりも、上側であって一方の辺１７Ａ側に位置している。
【００４１】
具体的に説明すると、バッテリー端子２７のヒューズユニット接合部２９は、バッテリー端子本体部３５に一体的に設けられたオスネジ（スタッドボルト）３９で構成されており、バッテリー端子２７のバッテリーポスト接合部３１は、バッテリー端子本体部３５に形成された円錐台状の貫通孔（バッテリーポストの形状と同形状の貫通孔）４１によって構成されている。
【００４２】
バッテリー端子２７の締め付け部３３は、スリット４３とオスネジ（スタッドボルト）４５とナット３７とで構成されている。スリット４３は、バッテリーポスト接合部３１からバッテリー端子本体部３５の他端にかけて設けられている。これにより、バッテリーポスト接合部３１とバッテリー端子本体部３５の他端との間には、第１の部位４９と、スリット４３を隔てて第１の部位４９から離れている第２の部位５１とが形成されている。
【００４３】
第１の部位４９には、スタッドボルト４５が一体的に設けられている。このスタッドボルト４５は、第２の部位５１に設けられた貫通孔（馬鹿穴）５３を貫通して、第２の部位５１の外側に突出している。ナット３７は、第２の部位５１の外側に突出しているスタッドボルト４５に螺合している。そして、ナット３７を緩めてある状態では、バッテリーポスト接合部３１（貫通孔４１）の内径がバッテリーポスト３の外径よりも僅かに大きくなっている。一方、ナット３７を締めると、バッテリーポスト接合部３１（貫通孔４１）の内径が小さくなって、バッテリーポスト接合部３１でバッテリーポスト３が押圧され、バッテリー端子２７がバッテリーポスト３に一体的に設置されるようになっている。
【００４４】
なお、バッテリー端子２７をバッテリーポスト３に設置した状態では、ヒューズユニット接合部２９のスタッドボルト３９は、バッテリー７の上面１５と直角になって、バッテリー端子本体部３５の上方に起立している。また、バッテリー端子２７をバッテリーポスト３に設置した状態では、締め付け部３３のスタッドボルト４５の軸Ｃ１は、バッテリー７の上面１５に対して斜めに延伸している（締め付け部３３のスタッドボルト４５の軸Ｃ１が、バッテリー端子２７の第１の部位４９から斜め上方に向かって延出し、第２の部位５１を貫通し第２の部位５１から斜め上方に向かって延伸している）。
【００４５】
また、バッテリー端子２７をバッテリーポスト３に設置した状態を平面視すると、締め付け部３３のスタッドボルト４５の軸Ｃ１は、バッテリー端子本体部３５の長手方向と直交する方向に延伸しており、ナット３７は、第１の部位４９に係合しているスタッドボルト４５の部位よりも、バッテリー本体部９の側面１７Ａの近くに位置している。
【００４６】
ここで、ヒューズユニット１についてさらに詳しく説明する。
【００４７】
説明の便宜のために、バッテリー７やヒューズユニット１の水平な所定の一方向を横方向とし、バッテリー７やヒューズユニット１の水平な所定の他一方向であって横方向に直交する方向を縦方向とし、横方向と縦方向とに直交する方向を高さ方向（上下方向）とする。
【００４８】
ヒューズユニット１は、図１等で示すように、バスバー５５と樹脂ボディ５７とを備えて構成されている。
【００４９】
バスバー５５は、図５や図６等で示すように、金属等の導電性素材で構成された平板をたとえば打ち抜き加工して所定形状にした後折り曲げることで、クランク状に形成されている（詳しくは後述する反起立部側上板部７３の一部を除き、横方向から見たときにクランク道路状に形成されている）。
【００５０】
バスバー５５は、平板状の底板部５９と平板状の起立部６１と平板状の上板部６３とを備えて構成されている。底板部５９の横方向の一端部側には詳しくは後述する第２の外部接続端子（外部端子接続部）６５を構成する外部端子用貫通孔６７が形成されており、横方向の他端部側にはバッテリー接続部２１を構成するバッテリー端子用貫通孔６９が形成されている。
【００５１】
起立部６１は、底板部５９に直交し底板部５９の横方向の他端部から起立している。上板部６３は、起立部６１に直交し底板部５９と平行になっている。また、上板部６３は、起立部６１の上端から横方向の他端部側に延出している。これにより、縦方向から見るとバスバー５５がクランク状になっている。
【００５２】
上板部６３は、起立部側上板部７１とヒューズ部２５と反起立部側上板部７３とを備えている。起立部側上板部７１は、縦方向の一端部側に位置しており、起立部６１につながっている。反起立部側上板部７３は、縦方向の他端部側に位置しており、ヒューズ部２５のみを介して起立部側上板部７１につながっている。反起立部側上板部７３には、第１の外部接続端子を構成する外部端子用貫通孔７５が形成されている。
【００５３】
なお、バスバー５５を平面視すると（高さ方向から見ると）、図６（ａ）で示すように、横方向では、第２の外部接続端子６５を構成する外部端子用貫通孔６７とバッテリー接続部２１を構成するバッテリー端子用貫通孔６９と第１の外部接続端子２３を構成する外部端子用貫通孔７５とヒューズ部２５とがこの順に、一端側から他端部側に向かってならんでいる。
【００５４】
また、バスバー５５を平面視すると、図６（ａ）で示すように、縦方向では、バッテリー接続部２１を構成するバッテリー端子用貫通孔６９とヒューズ部２５と第２の外部接続端子６５を構成する外部端子用貫通孔６７と第１の外部接続端子２３を構成する外部端子用貫通孔７５とがこの順に、一端側から他端部側に向かってならんでいる。
【００５５】
また、バスバー５５を平面視すると、図６（ａ）で示すように、「コ」字状に形成されており、底板部５９と上板部６３の反起立部側上板部７３とで、凹部（横方向の中間部で縦方向の他端部に形成されている凹部）７９が形成されている。
【００５６】
樹脂ボディ５７は、絶縁性の合成樹脂で構成されており、たとえば、インサート成形によってバスバー５５に一体的に設けられている。また、各外部端子用貫通孔６７，７５にスタッドボルト８１，８３を設置した状態でバスバー５５に樹脂ボディ５７を設けることで、各外部端子用貫通孔６７，７５のスタッドボルト８１，８３とバスバー５５とが導通している状態で、各スタッドボルト８１，８３がバスバー５５と一体化している。
【００５７】
なお、各外部端子用貫通孔６７，７５に設置されたスタッドボルト８１，８３と、各外部端子用貫通孔６７，７５とこの周辺部（底板部５９の上面の一部や上板部６３の上面の一部）と、バッテリー端子用貫通孔６９とこの周辺部（底板部５９や上板部６３の上下面の一部）と、ヒューズ部２５とこの周辺部とで、バスバー５５が露出するように、樹脂ボディ５７がバスバー５５に設けられている（図１等参照）。
【００５８】
これにより、底板部５９の外部端子用貫通孔６７に設置されたスタッドボルト８３と外部端子用貫通孔６７の周辺部とで、第２の外部接続端子６５が形成されており、上板部６３の外部端子用貫通孔７５に設置されたスタッドボルト８１と外部端子用貫通孔７５の周辺部とで、第１の外部接続端子２３が形成されており、バッテリー端子用貫通孔６９の周辺部でバッテリー接続部２１が形成されている。
【００５９】
また、バスバー５５に樹脂ボディ５７等を設けて構成されたヒューズユニット１は、図１等で示すように、バスバー５５と同様に、平面視において概ね「コ」字状（凹部７９が形成されている「コ」字状）に形成されており、縦方向から見たときに概ねクランク状に形成されている。
【００６０】
ところで、樹脂ボディ５７は、本体部８５と、配線載置部８７と、保護壁部８９と、エレメントカバー設置部９１とを備えて構成されている。
【００６１】
本体部８５は、上述したように、バスバー５５に直接係合してヒューズユニット１を、概ね「コ」字状、クランク状に形成している。配線載置部８７は、外部接続端子２３，６５から延出する配線（図示せず）が載置される部位であり、第１の外部接続端子２３と第２の外部接続端子６５とのそれぞれに形成されている。
【００６２】
また、配線載置部８７は平板状に形成されており、第１の外部接続端子２３からは水平に延出しており（図３、図４参照）、外部接続端子６５からは僅かに傾斜して延出している（外部接続端子６５から離れるにしたがって下方に位置するように傾斜して延出している）。
【００６３】
第１の外部接続端子２３の配線載置部８７は、図１等で示すように、第１の外部接続端子２３から縦方向の他端部側に延出しており、第２の外部接続端子６５の配線載置部８７は、第２の外部接続端子６５から横方向の一端部側に延出している。
【００６４】
保護壁部８９は、外部接続端子２３，６５から延出している配線（たとえば電線）が他の部位に接触して傷付くことを防止するためのものであり、第１の外部接続端子２３とこの配線載置部８７に設けられている。保護壁部８９は、平面視において「Ｕ」字状に形成されており、第１の外部接続端子２３の半円状の外周（配線載置部８７とは反対側の半外周）と、配線載置部８７の両端部とから所定の高さ（たとえば、第１の外部接続端子２３に接続される配線の外径よりも僅かに高い高さ）起立している。第２の外部接続端子６５とこの配線載置部８７の保護壁部８９も、第１の外部接続端子２３とこの配線載置部８７の保護壁部８９と同様に構成されている。
【００６５】
エレメントカバー設置部９１はヒューズ部２５のまわりに形成されており、エレンメトカバー（たとえば、透明な樹脂で構成され、矩形な平板を２箇所で直角に曲げて「コ」字状に形成されたエレメントカバー）９３をエレメントカバー設置部９１に設置することで、ヒューズ部２５が覆われるようなっている。そして、ヒューズユニット１の使用時にヒューズ部２５が溶断等して破損しても、この破損によって生じた残骸が外部に飛散しないようになっている。また、ヒューズユニット１の使用時にヒューズユニット１の外部からヒューズ部２５へ粉塵や水滴が付着することを防止することができる。
【００６６】
ここで、バッテリー７へのヒューズユニット１の設置等について説明する。
【００６７】
まず、バッテリー７のバッテリーポスト３にバッテリー端子２７を設置する。
【００６８】
バッテリー端子２７のバッテリーポスト３への設置前には、バッテリー端子２７のナット３７を緩めておく。そして、バッテリーポスト接合部３１にバッテリーポスト３が入り込むようにして、バッテリー端子２７をバッテリーポスト３に係合させる。続いて、締め付け部３３のナット３７を締め付けることで、バッテリー端子２７のバッテリーポスト３への設置が終了する。
【００６９】
バッテリー端子２７をバッテリーポスト３へ設置した状態を平面視すると、前述したように、バッテリー端子２７が斜めになっている。また、バッテリー端子２７をバッテリーポスト３へ設置した状態では、高さ方向で、バッテリー端子２７は、バッテリー７の凹部５の底面１３とバッテリー７の上面１５との間に位置しており、また、ヒューズユニット接合部２９を構成しているバッテリー端子２７のスタッドボルト３９がバッテリー端子本体部３５から上方に突出している。なお、バッテリー端子２７のスタッドボルト３９の上端は、バッテリー７の上面１５とほぼ同じところに位置している。
【００７０】
次に、バッテリー端子２７にヒューズユニット１を設置する。
【００７１】
バッテリー端子２７のスタッドボルト３９がバッテリー接続部２１の貫通孔６９を貫通するようにして、ヒューズユニット１をバッテリー端子２７に係合させ、バッテリー端子２７のスタッドボルト３９にナット４７を螺合させて、このナット４７を締め付ける。これにより、ヒューズユニット１がバッテリー端子２７に一体的に設置される。
【００７２】
ヒューズユニット１がバッテリー端子２７を介してバッテリー７に設置された状態を平面視すると、図１１等で示すように、バッテリー端子２７の総ての部分と、ヒューズユニット１のほとんどの部分とがバッテリー７の内側に位置している。たとえば、ヒューズユニット１の第１の外部接続端子２３と、ヒューズユニット１における第１の外部接続端子２３の配線載置部８７と、保護壁部８９と、ヒューズ部２５と、エレメントカバー設置部９１と、エレメントカバー９３と、バッテリー接続部２１と、第２の外部接続端子６５とが、バッテリー７内に位置している。一方、ヒューズユニット１における第２の外部接続端子６５の配線載置部８７と保護壁部８９との一部が、バッテリー７の横方向の一端部（側面１７Ａ）から、バッテリー７の外側に突出している。
【００７３】
また、ヒューズユニット１がバッテリー端子２７を介してバッテリー７に設置された状態を平面視すると、図１１で示すように、ヒューズユニット１の凹部７９を通して、バッテリー端子２７のバッテリーポスト接合部３１（バッテリーポスト３）とバッテリー端子２７の締め付け部３３とが覗けるようになっている。
【００７４】
これにより、ヒューズユニット１の凹部７９に工具を挿入することで、バッテリー端子２７のナット３７を緩めたり締め付けたりすることができる。そして、バッテリー端子２７を介してヒューズユニット１をバッテリー７に設置後、バッテリー端子２７とヒューズユニット１とが一体化している状態で、バッテリー端子２７とヒューズユニット１とをバッテリー１から取り外すことができる。また、バッテリー端子２７にヒューズユニット１を設置した後、バッテリー端子２７とヒューズユニット１とをバッテリー７に設置することができる。
【００７５】
また、ヒューズユニット１がバッテリー端子２７を介してバッテリー７に設置された状態を平面視すると、図１１で示すように、横方向では、第２の外部接続端子６５とバッテリー接続部２１と第１の外部接続端子２３とヒューズ部２５とがこの順に、一端側から他端部側に向かってならんでいる。
【００７６】
また、ヒューズユニット１がバッテリー端子２７を介してバッテリー７に設置された状態を平面視すると、図１１で示すように、縦方向では、バッテリー接続部２１とヒューズ部２５と第２の外部接続端子６５と第１の外部接続端子２３とがこの順に、一端側から他端部側に向かってならんでいる。
【００７７】
さらに、ヒューズユニット１がバッテリー端子２７を介してバッテリー７に設置された状態を平面視すると、図１１で示すように、バッテリー接続部２１とヒューズユニット１とが、バッテリー７の側面（縦方向の一端部側に位置している側面）１７Ｂの近傍に位置しており、第２の外部接続端子６５が、バッテリー７の側面（横方向の一端部側に位置している側面）１７Ａの近傍に位置している。また、第２の外部接続端子６５の配線載置部８７とこの配線載置部８７から起立している保護壁部８９は、横方向で、バッテリー７の一端部（側面１７Ｂ）から突出している。一方、第１の外部接続端子２３の配線載置部８７と保護壁部８９とが、第１の外部接続端子２３から縦方向の他端部側に延出している。
【００７８】
また、ヒューズユニット１がバッテリー端子２７を介してバッテリー７に設置された状態を平面視すると、図１１で示すように、第１の外部接続端子２３の配線載置部８７とこの配線載置部８７から起立している保護壁部８９とが、バッテリー７の凹部５の外側に位置しており（縦方向で凹部５の他端部側から突出しており）、ヒューズ部２５やエレメントカバー９３がバッテリー７の凹部５の外側に位置している（横方向で凹部５の他端部側からはみ出ている）。
【００７９】
また、ヒューズユニット１がバッテリー端子２７を介してバッテリー７に設置された状態では、高さ方向で、バッテリー接続部２１と第２の外部接続端子６５とは、バッテリー７の上面１５と凹部５の底面１３との間に位置しており、ヒューズ部２５とエレメントカバー設置部９１とエレメントカバー９３と第１の外部接続端子２３とは、バッテリー７の上面１５の上側に位置している。
【００８０】
バッテリー７にバッテリー端子２７とヒューズユニット１とを設置し終えた後、ヒューズユニット１に配線（図示せず）が接続される。第１の外部接続端子２３への配線の接続は、配線の端部に形成されている丸型圧着端子の貫通孔に、第１の外部接続端子２３のスタッドボルト８１を貫通させ、このスタッドボルト８１にナット（図示せず）を螺合し、ナットを締め付けて、ナットとバスバー５５とで丸型圧着端子を締め付けることでなされる。第２の外部接続端子６５への配線の接続も、第１の外部接続端子２３への配線の接続と同様にしてなされる。
【００８１】
バッテリー端子２７を介してバッテリー７に設置されたヒューズユニット１に配線が接続された状態では、配線は、保護壁部８９の内側で配線載置部８７に載置されており、配線載置部８７と同方向に延出している。なお、第２の外部接続端子６５から延出している配線は、高さ方向で、バッテリー７の凹部５の底面１３とバッテリー７の上面１５との間に位置している。
【００８２】
第２の外部接続端子６５には、自動車の照明等の電気機器が図示しないヒューズボックスを介して接続されるようになっている。
【００８３】
ヒューズユニット１によれば、バッテリー７に設置されたときに、第１の外部接続端子２３が、バッテリー７の上面１５よりも上側に位置しているとともに平面視でバッテリー７の内側に位置し、また、ヒューズ部２５が、バッテリー７の上面１５よりも上側に位置しているとともに平面視でバッテリー７の内側に位置するので、ヒューズ部２５、第１の外部接続端子２３の少なくともいずれかを、平面視において、バッテリー７の凹部５の外側に配置することができる。これにより、バッテリー７の凹部５のスペースに余裕ができ、バッテリー７に設置されたときにバッテリー７の側面１７からの、ヒューズユニット１の突出量を極力少なくすることができる。
【００８４】
すなわち、従来のヒューズユニット２００のバッテリー２１０への設置状態を示す図１２（ａ）では、ヒューズ部２０８が凹部２３６内に位置していることで、バッテリー２１０の凹部２３６の側面２４２から第２の外部接続端子２０６端まで距離ａが、凹部２３６の寸法よりも大きくなっており、したがって、寸法Ｐ１だけヒューズユニット２００がバッテリー２１０の側面から突出している。
【００８５】
これに対して、本実施形態に係るヒューズユニット１のバッテリー７への設置状態を示す図１２（ｂ）では、ヒューズ部２５をバッテリー７の上面１５の上方に配置したことで、ヒューズ部２５をバッテリー７の凹部５の外側に位置させることができ、バッテリー７の凹部５の側面１９から第２の外部接続端子６５まで距離ｂが、凹部５の寸法とほぼ等しくなっており、したがって、ヒューズユニット１のバッテリー７の側面１７から突出が無くなっている。
【００８６】
なお、図１２（ｂ）では、第２の外部接続端子６５に設けられている配線載置部８７とこの配線載置部８７の保護壁部８９とは、バッテリー７の側面から突出しているが、配線載置部８７とこの配線載置部８７の保護壁部８９との形態を変更して、上記突出を無くすかもしくは少なくしてもよい。たとえば、図１１において、第２の外部接続端子６５に設けられている配線載置部８７とこの配線載置部８７の保護壁部８９とを、第２の外部接続端子６５のスタッドボルト８３の中心軸を中心にして、時計まわりに９０°旋回した形態にしてもよい。
【００８７】
また、ヒューズユニット１によれば、ヒューズ部２５が、バッテリー７の上面１５よりも上方に配置されているので、ヒューズ部２５の視認性が向上している。
【００８８】
また、ヒューズユニット１によれば、バッテリー端子２７を介してヒューズユニット１がバッテリー７に取り付けられた状態を平面視すると、バッテリー端子２７がバッテリー７の側面１７に対して斜めになっているので、バッテリー端子２７の締め付け部３３（ナット３７）の周辺にスペースＳ１（図１１、図１３（ｂ）参照）が発生し、バッテリー端子２７をバッテリー７に取り付ける際の作業性が向上している。
【００８９】
すなわち、従来のようにバッテリー端子２１２を斜めにすることなくバッテリー２１０に取り付けると（図１３（ａ）参照）、バッテリー端子２１２の締結部を構成しているナット２４４が、バッテリー２１０の凹部２３６の側面２４２に接近しており、側面２４２が障害になり、ナット２４４を回す工具をナット２４４に係合させにくくなっている。
【００９０】
一方、本実施形態では、バッテリー端子２７がバッテリー７の側面１７に対して斜めになっているので、図１３（ｂ）で示すように、ナット３７とバッテリー７の凹部５の側面１９との間にスペースＳ１が生じており、これより、工具をナット３７に係合させてナット３７を回しやすくなっている。
【００９１】
なお、本実施形態では、ヒューズユニット１のヒューズ部２５をバッテリー７の上面１５に配置するとともに（図１２（ｂ）参照）、ヒューズユニット１のヒューズ部２５をバッテリー７の凹部５と外側に配置したので（図１３（ｂ）参照）、バッテリー端子２７を斜めにすることができたのである。すなわち、バッテリー端子２７のヒューズユニット接合部２９とヒューズユニット１のバッテリー接続部２１とを、従来（図１３（ａ）参照）よりもバッテリー７の凹部５の側面１９側に位置させることができたのである（図１３（ｂ）参照）。
【００９２】
ところで、図１４で示すように、ヒューズ部２５（２５Ａ，２５Ｂ）と第１の外部接続端子２３（２３Ａ，２３Ｂ）とを複数設けてもよい。
【００９３】
このように、複数のヒューズ部２５と複数の第１の外部接続端子２３とが設けられているヒューズユニット１では、各ヒューズ部２５と第１の各外部接続端子２３とは、お互いが所定の間隔をあけて所定方向（横方向）にならんで配置されている。また、第１の各外部接続端子２３に接続される配線の延伸方向（導出方向）は、縦方向になってお互いがほぼ平行になる。
【００９４】
また、複数のヒューズ部２５と複数の第１の外部接続端子２３とが設けられているヒューズユニット１をバッテリー７に取り付けられた状態では、各ヒューズ部２５（２５Ａ，２５Ｂ）がバッテリー７の１つの側面１７Ｂの近傍で、バッテリー７の１つの側面１７Ｂに沿ってならんでおり、第１の各外部接続端子２３（２３Ａ，２３Ｂ）が、バッテリー７の１つの側面１７Ｂのから所定の距離だけ離れてバッテリー７の１つの側面１７Ｂに沿ってならんでおり、第１の各外部接続端子２３（２３Ａ，２３Ｂ）に接続される配線の延伸方向が、１つの側面１７Ｂと直交している（斜めに交差でもよい。）。
【００９５】
換言すれば、ヒューズユニット１がバッテリー７に取り付けられた状態では、各ヒューズ部２５（２５Ａ，２５Ｂ）は、バッテリー７の上面１５の上側でバッテリー７の上面１５から僅かに離れ、バッテリー７の１つの側面１７Ｂと上面１５との境界（稜線）から僅かに離れ、上記稜線と平行にならんでいる。また、各ヒューズ部２５（２５Ａ，２５Ｂ）は、バッテリー接続部２１の近くの箇所から、バッテリー７の反対側（ヒューズユニット１が設けられている側とは反対側）に向かって横方向にならんでいる。
【００９６】
また、ヒューズユニット１がバッテリー７に取り付けられた状態では、第１の各外部接続端子２３（２３Ａ,２３Ｂ）は、バッテリー７の上面１５の上側でバッテリー７の上面１５から僅かに離れ、バッテリー７の１つの側面１７Ｂと上面１５との境界（稜線）から所定の距離だけ離れ、稜線と平行にならんでいる。さらに、第１の各外部接続端子２３（２３Ａ,２３Ｂ）は、バッテリー接続部２１の近くの箇所から、バッテリー７の反対側（ヒューズユニット１が設けられている側とは反対側）に向かって横方向にならんでいる。
【００９７】
なお、第１の各外部接続端子２３（２３Ａ,２３Ｂ）のそれぞれは各ヒューズ部２５（２５Ａ，２５Ｂ）のそれぞれを介して、バッテリー接続部２１と電気的に接続されている。たとえば、１つ目の外部接続端子２３Ａは１つ目のヒューズ部２５Ａのみを介してバッテリー接続部２１と電気的に接続されており、２つ目の外部接続端子２３Ｂは２つ目のヒューズ部２５Ｂのみを介してバッテリー接続部２１と電気的に接続されている。
【００９８】
ここで、１つ目の外部接続端子２３Ａは、バッテリー接続部２１の最も近くに位置しており、２つ目の外部接続端子２３Ｂは、１つ目の外部接続端子２３Ａに隣接している。１つ目のヒューズ部２５Ａは、バッテリー接続部２１の最も近くに位置しており、２つ目のヒューズ部２５Ｂは、１つ目のヒューズ部２５Ａに隣接している。
【００９９】
また、第１の外部接続端子２３に接続された配線は、バッテリー７の側面１７Ｂに対して直交して延伸する。また、第１の外部接続端子２３に接続された配線は、バッテリー７の反対の側面（側面１７Ｂと対向している側面）側に延出している。
【０１００】
ヒューズユニット１によれば、バッテリー７に設置されたときに、第１の外部接続端子２３が、バッテリー７の上面１５よりも上側に位置し、ヒューズ部２５が、バッテリー７の上面１５よりも上側に位置しているので、ヒューズユニット１の形状を大幅に変更することなく、第１の外部接続端子２３とヒューズ部２５との数を増やすことができる。
【０１０１】
すなわち、図１８で示す従来のヒューズユニット２００では、ヒューズ部２０８がバッテリー２１０の凹部２３６の側面２４２に近接しているので、スペース不足でヒューズ部２０８を簡単に増やすことはできない。
【０１０２】
これに対して、本実施形態に係るヒューズユニット１で、図１４で示すように、たとえば、ヒューズ部２５の個数を２つにし、第１の外部接続端子２３の個数を２つにする場合、ヒューズ部２５と第１の外部接続端子２３とを水平方向（横方向）にならべて増やせばよく、ヒューズユニット１の他の部分（バッテリー接続部２１や第２の外部接続端子６５）の形態を変える必要が無いので、第１の外部接続端子２３とヒューズ部２５との数を増やすことが容易になっている。
【０１０３】
また、ヒューズユニット１によれば、ヒューズユニット１がバッテリー７に取り付けられた状態で、複数のヒューズ部２５がバッテリー７の側面１７Ｂに沿ってならんでおり、複数の第１の外部接続端子２３のそれぞれに接続されている配線の延伸方向が、バッテリー７の側面１７Ｂと直交しているので、ヒューズユニット１（ヒューズ部２５）の視認性が一層向上しているとともに、配線の接続がしやすくなっている。
【符号の説明】
【０１０４】
１  ヒューズユニット
３  バッテリーポスト
５  凹部（一段低いところ）
７  バッテリー
１７  バッテリーの側面
２１  バッテリー接続部
２３  外部接続端子
２５  ヒューズ部
２７  バッテリー端子
【図１】
0005869789.tif 000002
【図２】
0005869789.tif 000003
【図３】
0005869789.tif 000004
【図４】
0005869789.tif 000005
【図５】
0005869789.tif 000006
【図６】
0005869789.tif 000007
【図７】
0005869789.tif 000008
【図８】
0005869789.tif 000009
【図９】
0005869789.tif 000010
【図１０】
0005869789.tif 000011
【図１１】
0005869789.tif 000012
【図１２】
0005869789.tif 000013
【図１３】
0005869789.tif 000014
【図１４】
0005869789.tif 000015
【図１５】
0005869789.tif 000016
【図１６】
0005869789.tif 000017
【図１７】
0005869789.tif 000018
【図１８】
0005869789.tif 000019
【図１９】
0005869789.tif 000020
【図２０】
0005869789.tif 000021